(57)【要約】【課題】フラダンス演者の衣装選択の幅を広げるとともに、上肢が露出された衣装を着用した場合でも、演技に集中できるようにするためのフラダンス演者用上腕着圧具を提供する。【解決手段】フラダンス演者用上腕着圧具１は、筒状で、伸縮性を有し、演者１０の上肢１１の肌の色と同一又は近似する色を有する被覆材２を備え、被覆材２によって、演者１０の上肢１１の少なくとも上腕１２が着圧されることで、上腕１２の弛みを抑える構成をとる。【選択図】図１
0003216498.tif 000002
【実用新案登録請求の範囲】
【請求項１】
フランダンスを踊る演者が着用するフラダンス演者用上腕着圧具であって、
筒状で、伸縮性を有し、前記演者の上肢の肌の色と同一又は近似する色を有する被覆部を備え、
前記被覆部によって、前記演者の上肢の少なくとも上腕が着圧されることで、前記上腕の弛みを抑える、
ことを特徴とするフラダンス演者用上腕着圧具。
【請求項２】
前記被覆部に設けられた留め部を有し、
前記留め部によって、前記演者の前記上腕からずれ落ちることを防止する、
ことを特徴とする請求項１に記載のフラダンス演者用上腕着圧具。
【考案の詳細な説明】
【技術分野】
【０００１】
本考案は、フラダンスの演者が着用するフラダンス演者用上腕着圧具に関するものである。
【背景技術】
【０００２】
フラダンスでは、演者の上肢が露出した衣装が着用されている。一般に、二の腕と呼ばれる上腕の後側の部分（皮膚や肉）には、弛みが発生しやすく、この弛んだ部分はフラダンスを踊る際に揺れ、上肢が露出した衣装を着用した演者の上腕は、周囲の観客から認識されやすい。そのため、上腕の弛みが大きい演者は、周囲からの目を気にしながら踊らなければいけない。
一般に、比較的高年齢の演者や、体型がふくよかな演者の上腕の弛み度合いは大きく、これらの演者は、上肢が露出される衣装を避ける傾向がある。
【０００３】
従来、上腕の弛みを抑える衣類が開示されている（例えば、特許文献１）。特許文献１の袖付き衣類は、腋下近傍から腕後側を通り、肘上で腕前側へと斜行する帯状部を設け、この帯状部を他の部位よりも緊締力を強くし、上腕後側に生じる皮膚の弛みを抑えている。この袖付き衣類を採用した場合、胴体部と袖部とが縫合されて連結しているため、衣装の内側に着用するものが限定される。そうすると、着用する衣装のデザインやサイズによっては、胴体部が邪魔となり、不都合が生じる場合がある。
【先行技術文献】
【特許文献】
【０００４】
【特許文献１】特開２００３−３２８２０２号公報
【考案の概要】
【考案が解決しようとする課題】
【０００５】
フラダンスの演者は、振り付けや音楽に合った衣装を着用することで、演技に対する気持ちや意識が昂ぶる。しかし、上述のように、上肢が露出されることを避ける演者も多く、その場合、衣装選択の幅が狭まってしまう。衣装選択の幅が狭まると、演者の演技への意識が低下することがある。また、上肢が露出される衣装を着用した場合でも、演技中に上腕の弛みが気になり、演技に集中できない場合も生じている。
そのため、フラダンスの演者が、上腕の弛みを気にすることなく演技できる衣装を選択できることが望ましい。
【０００６】
そこで、本考案では、フラダンス演者の衣装選択の幅を広げるとともに、上肢が露出される衣装を着用した場合でも、演技に集中できるようにするためのフラダンス演者用上腕着圧具を提供することを目的とする。
【課題を解決するための手段】
【０００７】
本考案に係るフラダンス演者用上腕着圧具は、フランダンスを踊る演者が着用するものであって、筒状で伸縮性を有し、演者の上肢の肌の色と同一又は近似する色を有する被覆部を備え、被覆部によって、演者の上肢の少なくとも上腕が着圧されることで、上腕の弛みを抑えることを特徴とする。
【０００８】
本考案に係るフラダンス演者用上腕着圧具は、被覆部に留め部が設けられ、留め部によって、上腕からずれ落ちることを防止することを特徴とする。
【考案の効果】
【０００９】
本考案に係るフラダンス演者用上腕着圧具は、演者が着用した際、上肢の少なくとも上腕を着圧するため、上腕が締め付けられる。そうすると、上腕（特に、後側の皮膚や肉）の弛みが抑えられ、フラダンスの観客は、演者の上腕の弛みを認識しづらくなる。
また、このフラダンス演者用上腕着圧具の被覆部は、演者の上肢の肌の色と同一又は近似する色に着色されているため、周囲の観客は、演者がフラダンス演者用上腕着圧具を着用していることを認識しづらくなる。
そのため、演者は上腕の弛みを気にすることなく、上肢が露出される衣装を選択し、フラダンスを踊ることができるため、演技に対する意識が低下することを防止できると共に、演技中に上腕の弛みを気にすることなく演技に集中することができる。
【００１０】
本考案のフラダンス演者用上腕着圧具は、被覆部に留め部が設けられている。そのため、激しい動作を伴う演技を行った場合でも、フラダンス演者用上腕着圧具が、上腕から手先側にずれ落ちることを防止できる。
したがって、演者は、フラダンス演者用上腕着圧具のずれを気にせずに、安心して演技に集中することができる。
【図面の簡単な説明】
【００１１】
【図１】本考案の実施形態に係るフラダンス演者用上腕着圧具を着用した演者の正面図である。
【図２】本考案の実施形態に係るフラダンス演者用上腕着圧具の平面図である。
【図３】本考案の実施形態に係るフラダンス演者用上腕着圧具の作用効果を説明するための図である。（ａ）フラダンス演者用上腕着圧具を着用した状態、（ｂ）フラダンス演者用上腕着圧具を着用していない状態
【考案を実施するための形態】
【００１２】
本実施形態に係るフラダンス演者用上腕着圧具を、図１から図３を参照し、説明する。
フラダンス演者用上腕着圧具１（以下、上腕着圧具１と記す）は、図１に示すように、フラダンス演者１０の上肢１１に着用され、上腕１２を着圧するものである。
この上腕着圧具１は、図２に示すように、被覆部としての被覆材２と、この被覆材２に設けられた留め部としのゴム部３とを備えている。
【００１３】
［被覆材２］
被覆材２は、円筒状に形成され、伸縮性を有している。被覆材２には、例えば、ポリエステル繊維、ポリウレタン繊維、ナイロン系繊維等を使用することができ、演者１０の肌触りの良い素材で構成されていることが好ましい。
この被覆材２は、演者１０の肌の色と同一又はそれに近似する色が着色されている。被覆材２は、例えば、肌色とすることができ、演者１０の肌の色や衣装の色に合わせて、適宜変更することができる。
被覆材２は、メッシュ状の素材で構成されており、通気性が良い構造となっている。
【００１４】
被覆材２の長さＬは、少なくとも演者１０の上腕１２を覆うことができる長さに設計されている。この長さＬは、１０ｃｍから４０ｃｍが好ましい。被覆材２の長さＬを調節することで、上腕着圧具１の下端部が肘までのもの、手首までのもの、七分丈のものとすることができる。また、被覆材２の厚みは、０．５ｍｍから２ｍｍが好ましい。この厚みが大きすぎると、上腕着圧具１と上肢１１との区別が明確となってしまう。被覆材２の肩側である上端の幅Ｗ１は、手先側である下端の幅Ｗ２よりも若干大きく設計されている。
なお、被覆材２は、繊度が１０ｄｔｅｘから８５ｄｔｅｘ、着用圧が２０ｈＰａから６５ｈＰａであることが好ましい。
【００１５】
［ゴム部材３］
ゴム部材３は、被覆材２の上端の周方向に設けられている。このゴム部材３には、上肢１１に対して締め付ける力が被覆材２よりも大きいものを使用する。ゴム部材３は、被覆材２と同じ素材で構成されていても、別の素材から構成されていてもよい。
このゴム部材３は、被覆材２と同様に、演者１０の肌の色と同一又はそれに近似する色が着色されている。ゴム部材３は、上腕着圧具１が、抵抗値が７００ｇｆ以上となるようにも設けることが好ましい。
なお、ゴム部材３の設けられている位置は、被覆材２の上端のみに限定されず、上端及び下端の両側に設けることもできる。
【００１６】
次に、本実施形態に係る上腕着圧具１の作用効果について説明する。
【００１７】
本実施形態に係る上腕着圧具１を着用していない場合、図３（ｂ）に示すように、上腕１２に弛みが生じる。
一方、本実施形態に係る上腕着圧具１は、図３（ａ）に示すように、フラダンスを踊る演者１０が着用した際、被覆材２が上肢１１の少なくとも上腕１２全体を被覆し、着圧する。そうすると、上腕１２全体が締め付けられ、上腕１２の弛みが抑えられ、この弛みが目立たなくなる。そうすると、演者１０の上腕１２の弛みが周囲の観客によって認識されづらくなる。したがって、フラダンスの演者１０は、観客の目線を気にせずに演技をすることができる。
【００１８】
また、被覆材２及びゴム部材３は、演者１０の肌の色と同一又は近似する色が着色されているため、周囲の観客によって、上腕着圧具１が認識されづらい。そのため、フラダンスの演者１０は、上腕１２の弛みを気にすることなく、上肢１１が露出された衣装を選択することができる。
【００１９】
さらに、本実施形態に係る上腕着圧具１は、被覆材２にゴム部材３が設けられているため、フラダンスの演者１０が、激しい動作が伴う振り付けで演技を行った場合でも、上腕着圧具１が、上腕１２から手先側にずれ落ちることを防止できる。
したがって、フラダンスの演者１０は、上腕着圧具１のずれを気にせずに、演技に集中することができる。
【００２０】
以上、本実施形態について説明したが、これ以外にも、本考案の主旨を逸脱しない限り、上記実施の形態で挙げた構成を取捨選択したり、他の構成に適宜変更することが可能である。
本実施形態では、ゴム部材３が被覆材２の上端の周囲に設けられているが、ゴム部材３は、上腕着圧具１が着用した位置からずれ落ちないようにする構成であればよい。
なお、上腕着圧具１は、上腕１２からずり落ちなければ、ゴム部材３は形成されていなくてもよい。
【００２１】
また、上腕着圧具１には、模様を付したり、飾りを備えることもできる。このような装飾を付すことで、上腕１２の弛みを抑えることに加え、衣装の一部としても使用できる。
さらに、この上腕着圧具１は、上肢１１の上腕１２以外の部分も被覆する長さに調節することができるため、例えば、上肢１１にあざや傷がある場合に、これらを隠すために使用することができる。
【符号の説明】
【００２２】
１      フラダンス演者用上腕着圧具（上腕着圧具）
２      被覆材（被覆部）
３      ゴム部材（留め部）
１０    フラダンス演者（演者）
１１    上肢
１２    上腕
Ｌ      長さ
Ｗ１，Ｗ２  幅
【図１】
0003216498.tif 000003
【図２】
0003216498.tif 000004
【図３】
0003216498.tif 000005